(57)【特許請求の範囲】
【請求項１】
ユーザが装着可能な画像表示装置であって、
装着時に、装着しているユーザのみが視認可能となる表示部と、
前記画像表示装置を特定するＩＤを記憶するＩＤ記憶部と、
外部の表示装置に表示されている画像を読み取る画像読取部と、
前記画像読取部により読み取られた前記画像をフレーム単位のフレーム画像に分割する画像分割部と、
前記画像分割部により分割された前記フレーム画像に、前記ＩＤ記憶部に記憶されている前記ＩＤが含まれるか否かを判定する判定部と、
前記判定部により前記フレーム画像に前記ＩＤが含まれると判定された場合に、前記ＩＤに基づいて特定される前記フレーム画像を前記表示部に表示させる表示制御部と、
を備えることを特徴とする画像表示装置。
【請求項２】
前記判定部により前記フレーム画像に前記ＩＤが含まれると判定された場合に、前記ＩＤに基づいて特定される前記フレーム画像を記憶する画像記憶部を、さらに備え、
前記表示制御部は、前記画像記憶部に記憶されている前記フレーム画像を前記表示部に表示させる、
ことを特徴とする請求項１記載の画像表示装置。
【請求項３】
前記表示制御部は、前記ＩＤを含む前記フレーム画像を前記表示部に表示させる、
ことを特徴とする請求項１または２記載の画像表示装置。
【請求項４】
前記ＩＤ記憶部は、特定のフレーム画像数をさらに記憶し、
前記表示制御部は、前記ＩＤを含む前記フレーム画像から前記フレーム画像数後の前記フレーム画像を前記表示部に表示させる、
ことを特徴とする請求項１または２記載の画像表示装置。
【請求項５】
請求項１〜４のいずれか１項に記載の画像表示装置と、
前記表示装置を有する画像合成装置と、を備え、
前記画像合成装置は、
前記表示装置に表示させる複数の画像のうち、一部の画像に前記ＩＤを組み込むＩＤ組込部と、
前記ＩＤ組込部により前記ＩＤが組み込まれた前記画像を含む前記複数の画像を合成する画像合成部と、
前記画像合成部により合成された合成画像を前記表示装置に表示させる画像表示部と、を有し、
前記画像合成部は、前記合成画像が前記表示装置に表示されたときに、前記複数の画像のうち、前記ＩＤが組み込まれていない画像のみを肉眼で視認できる割合で、前記複数の画像を合成する、
ことを特徴とする画像表示システム。
【請求項６】
ユーザが装着可能な画像表示装置であって、装着時に、装着しているユーザのみが視認可能となる表示部を有する前記画像表示装置を特定するＩＤを記憶させるＩＤ記憶ステップと、
外部の表示装置に表示されている画像を読み取る画像読取ステップと、
前記画像読取ステップにおいて読み取られた前記画像をフレーム単位のフレーム画像に分割する画像分割ステップと、
前記画像分割ステップにおいて分割された前記フレーム画像に、前記ＩＤ記憶ステップにおいて記憶された前記ＩＤが含まれるか否かを判定する判定ステップと、
前記判定ステップにおいて前記フレーム画像に前記ＩＤが含まれると判定された場合に、前記ＩＤに基づいて特定される前記フレーム画像を前記表示部に表示させる表示制御ステップと、
を含むことを特徴とする画像表示方法。
【発明の詳細な説明】
【技術分野】
【０００１】
本発明は、画像表示装置、画像表示システムおよび画像表示方法に関する。
【背景技術】
【０００２】
現在、携帯電話機やノート型パソコンなどの利用により、ユビキタス環境下においてプライバシー情報等の秘密情報を扱う機会が増えてきている。このような環境下では、覗き見防止等のセキュリティ機能を強化して秘密情報を保護する必要がある。下記特許文献１には、特定種類の画像を識別する同期信号に合わせて液晶シャッターを開閉させることで、液晶シャッター付のメガネをかけているユーザのみが、特定種類の画像を見ることができる画像表示システムが開示されている。この液晶シャッター付メガネには、コントローラから同期信号を受信するための通信装置が備えられている。
【先行技術文献】
【特許文献】
【０００３】
【特許文献１】特開平５−８８６５０号公報
【発明の概要】
【発明が解決しようとする課題】
【０００４】
ところで、近年、ウェラブルコンピュータの一つとして、メガネ型ディスプレイが開発されている。メガネ型ディスプレイは、ユーザの顔に装着するため、できる限り構成を簡略化させる必要がある。しかしながら、ウェラブルコンピュータとしてのメガネ型ディスプレイに、上記特許文献１のセキュリティ機能を追加しようとすると、同期信号を受信するための通信装置を設けなければならず、構成が複雑化してしまう。
【０００５】
本発明は、上述した課題を解決するためになされたものであり、構成の簡略化を図ることができる画像表示装置、画像表示システムおよび画像表示方法を提供することを目的とする。
【課題を解決するための手段】
【０００６】
本発明の画像表示装置は、特定のＩＤを記憶するＩＤ記憶部と、外部の表示装置に表示されている画像を読み取る画像読取部と、前記画像読取部により読み取られた前記画像をフレーム単位のフレーム画像に分割する画像分割部と、前記画像分割部により分割された前記フレーム画像に、前記ＩＤ記憶部に記憶されている前記ＩＤが含まれるか否かを判定する判定部と、前記判定部により前記フレーム画像に前記ＩＤが含まれると判定された場合に、前記ＩＤに基づいて特定される前記フレーム画像を表示部に表示させる表示制御部と、を備える。
【０００７】
本発明の画像表示システムは、前記画像表示装置と、前記表示装置を有する画像合成装置と、を備え、前記画像合成装置は、前記表示装置に表示させる複数の画像のうち、一部の画像に前記ＩＤを組み込むＩＤ組込部と、前記ＩＤ組込部により前記ＩＤが組み込まれた前記画像を含む前記複数の画像を合成する画像合成部と、前記画像合成部により合成された合成画像を前記表示装置に表示させる画像表示部と、を有し、前記画像合成部は、前記合成画像が前記表示装置に表示されたときに、前記複数の画像のうち、前記ＩＤが組み込まれていない画像のみを肉眼で視認できる割合で、前記複数の画像を合成する。
【０００８】
本発明の画像表示方法は、特定のＩＤを記憶させるＩＤ記憶ステップと、外部の表示装置に表示されている画像を読み取る画像読取ステップと、前記画像読取ステップにおいて読み取られた前記画像をフレーム単位のフレーム画像に分割する画像分割ステップと、前記画像分割ステップにおいて分割された前記フレーム画像に、前記ＩＤ記憶ステップにおいて記憶された前記ＩＤが含まれるか否かを判定する判定ステップと、前記判定ステップにおいて前記フレーム画像に前記ＩＤが含まれると判定された場合に、前記ＩＤに基づいて特定される前記フレーム画像を表示部に表示させる表示制御ステップと、を含む。
【発明の効果】
【０００９】
本発明によれば、構成の簡略化を図ることができる。
【図面の簡単な説明】
【００１０】
【図１】実施形態における画像表示システムの構成を例示するブロック図である。
【図２】ＩＤが組み込まれる動画像を模式的に例示する図である。
【図３】合成される動画像を模式的に例示する図である。
【図４】表示部に表示される動画像を模式的に例示する図である。
【図５】画像合成装置の動作を説明するためのフローチャートである。
【図６】画像表示装置の動作を説明するためのフローチャートである。
【発明を実施するための形態】
【００１１】
以下、添付図面を参照して、本発明に係る画像表示装置、画像表示システムおよび画像表示方法の好適な実施形態について説明する。
【００１２】
まず、図１を参照して、実施形態における画像表示装置を含む画像表示システムの構成について説明する。図１は、画像表示システムの構成図である。画像表示システムは、複数の画像を合成する画像合成装置２と、画像合成装置２で合成された画像のうち、特定の画像を抽出して表示する画像表示装置１と、を有する。画像合成装置２として、例えば、ノート型パソコン等の携帯可能なディスプレイ付コンピュータや、ディスプレイを接続可能なデスクトップ型コンピュータが該当する。画像表示装置１として、例えば、ウェラブルコンピュータとしてのメガネ型ディスプレイ等が該当する。
【００１３】
図１を参照して、画像合成装置２の機能構成について説明する。図１に示すように、画像合成装置２は、ＩＤ組込部２１と、画像合成部２２と、画像表示部２３と、表示部２４と、を有する。
【００１４】
ＩＤ組込部２１は、複数の画像のうち、特定の画像表示装置１にのみ表示させる画像に対して、その特定の画像表示装置１に登録されているＩＤを組み込む。複数の画像には、不特定の人に見せられる画像と、特定の人だけに見せる秘密性の高い画像とが含まれる。本実施形態では、画像が動画像である場合について説明するが、画像は静止画像であってもよい。
【００１５】
ＩＤは、特定の画像表示装置１のみに表示させる画像を一意に特定可能な識別コードである。ＩＤは、例えばバーコードやＱＲコード等のように色や模様を組み合わせたコードにより表現することができる。ＩＤは、画像合成装置２で生成し、画像表示装置１のＩＤ記憶部１５に登録する。画像表示装置１への登録は、通信を利用して登録してもよいし、ＵＳＢメモリ等の持ち運び可能な記憶媒体を利用して登録してもよい。
【００１６】
ＩＤ組込部２１は、例えば、画像を表示した時に、その画像の前面にＩＤが表示されるように、ＩＤを画像内に組み込む。例えば、図２に示すように、画像表示装置１にのみ表示させる画像が動画像Ｂである場合に、ＩＤ組込部２１は、動画像Ｂに、画像表示装置１に登録されているＩＤを組み込むことで、動画像Ｘを生成する。
【００１７】
図１に示す画像合成部２２は、ＩＤが組み込まれていない画像とＩＤが組み込まれた画像とを合成する。図３を参照して、画像合成部２２が、ＩＤが組み込まれていない動画像Ａと、ＩＤが組み込まれた動画像Ｘとを合成する場合について説明する。
【００１８】
最初に、画像合成部２２は、動画像Ａと動画像Ｘとを、それぞれフレーム単位に分割する。続いて、画像合成部２２は、動画像Ａのフレーム画像のうち、第１フレーム画像Ａ１から第３フレーム画像Ａ３までの三つのフレーム画像を取得して、動画像Ｙの第１フレームから第３フレームに格納する。続いて、画像合成部２２は、動画像Ｘのフレーム画像のうち、一つのフレーム画像である第４フレーム画像Ｘ４を取得して、動画像Ｙの第４フレームに格納する。
【００１９】
続いて、画像合成部２２は、動画像Ａのフレーム画像のうち、第５フレーム画像Ａ５から第７フレーム画像Ａ７までの三つのフレーム画像を取得して、動画像Ｙの第５フレームから第７フレームに格納する。続いて、画像合成部２２は、動画像Ｘのフレーム画像のうち、一つのフレーム画像である第８フレーム画像Ｘ８を取得して、動画像Ｙの第８フレームに格納する。
【００２０】
このように、画像合成部２２は、動画像Ａの三つのフレーム画像と、動画像Ｘの一つのフレーム画像とを、二つの動画像Ａ、Ｘの同期を取りながら交互に取得して、動画像Ｙのフレームに順次格納していく。これにより、二つの動画像Ａ、Ｘを合成した動画像Ｙが生成される。なお、動画像Ａと動画像Ｘとを合成する際のフレーム画像数の割合は、合成画像を表示したときに、ＩＤが組み込まれている動画像Ｘが肉眼で視認されない範囲で任意に設定することができる。これにより、肉眼で合成画像を見た不特定の人に対しては、ＩＤが組み込まれていない動画像Ａのみを視認させることができる。
【００２１】
図１に示す画像表示部２３は、画像合成部２２により合成された画像を表示部２４に表示させる。表示部２４は、画像合成装置２と一体型のディスプレイであってもよいし、画像合成装置２に接続可能なディスプレイであってもよい。
【００２２】
次に、図１を参照して、画像表示装置１の機能構成について説明する。図１に示すように、画像表示装置１は、画像読取部１１と、画像分割部１２と、判定部１３と、表示制御部１４と、を有する。
【００２３】
画像読取部１１は、画像合成装置２の表示部２４に表示されている画像を読み取る。画像読取部１１は、例えばカメラであり、カメラで撮影した映像を画像データに変換することで、画像を読み取る。
【００２４】
画像分割部１２は、画像読取部１１により読み取られた画像をフレーム単位のフレーム画像に分割する。判定部１３は、画像分割部１２により分割されたフレーム画像に、ＩＤ記憶部１５に登録されているＩＤが含まれるか否かを判定する。
【００２５】
表示制御部１４は、判定部１３によりフレーム画像にＩＤが含まれると判定された場合に、ＩＤに基づいて特定されるフレーム画像を表示部１７に表示させる。図４を参照して、表示制御部１４により表示される動画像について説明する。図４に示す動画像Ｙは、図３に示す動画像Ｙと同じ動画像である。
【００２６】
最初に、画像読取部１１は、画像合成装置２の表示部２４に表示されている動画像Ｙを読み取る。続いて、画像分割部１２は、動画像Ｙをフレーム画像に分割する。続いて、判定部１３は、フレーム画像ごとに、そのフレーム画像にＩＤが含まれるか否かを判定する。
【００２７】
続いて、表示制御部１４は、フレーム画像にＩＤが含まれる場合には、ＩＤが含まれるフレーム画像を、対応する動画像Ｚのフレームに格納する。画像記憶部１６は、動画像Ｚを記憶する。図４では、動画像Ｙの第４フレーム画像と、動画像Ｙの第８フレーム画像とにＩＤが含まれるため、それぞれ動画像Ｚの第４フレームと第８フレームとに格納する。
【００２８】
一方、表示制御部１４は、フレーム画像にＩＤが含まれない場合には、対応する動画像Ｚのフレームに対して、そのフレームの直前のフレームに格納されている画像をコピーする。図４では、例えば動画像Ｙの第５フレーム画像〜第７フレーム画像にはＩＤが含まれないため、それぞれ動画像Ｚの第４フレーム〜第６フレームに格納されている画像を、動画像Ｚの第５フレーム〜第７フレームに順次コピーしていく。
【００２９】
続いて、表示制御部１４は、画像記憶部１６に記憶されている動画像Ｚを表示部１７に表示させる。
【００３０】
次に、図５を参照して、画像合成装置２の動作について説明する。
【００３１】
最初に、ＩＤ組込部２１は、複数の画像のうち、特定の画像表示装置１にのみ表示させる画像に対して、その特定の画像表示装置１に登録されているＩＤを組み込む（ステップＳ１０１）。
【００３２】
続いて、画像合成部２２は、ＩＤが組み込まれていない画像と、上記ステップＳ１０１でＩＤが組み込まれた画像とを合成する（ステップＳ１０２）。
【００３３】
続いて、画像表示部２３は、上記ステップＳ１０２で合成された画像を表示部２４に表示させる（ステップＳ１０３）。
【００３４】
次に、図６を参照して、画像表示装置１の動作について説明する。
【００３５】
最初に、画像読取部１１は、上記ステップＳ１０３で画像合成装置２の表示部２４に表示されている画像を読み取る（ステップＳ２０１）。
【００３６】
続いて、画像分割部１２は、上記ステップＳ２０１で読み取られた画像をフレーム画像に分割する（ステップＳ２０２）。以下に説明するステップＳ２０３〜Ｓ２０５までの処理は、上記ステップＳ２０２で分割したフレーム画像数分、繰り返し実行する。
【００３７】
続いて、判定部１３は、上記ステップＳ２０２で分割されたフレーム画像の一つに、ＩＤ記憶部１５に登録されているＩＤが含まれるか否かを判定する（ステップＳ２０３）。この判定がＹＥＳである場合（ステップＳ２０３；ＹＥＳ）に、表示制御部１４は、ＩＤを含むフレーム画像を、対応する表示用のフレームに格納する（ステップＳ２０４）。
【００３８】
一方、上記ステップＳ２０３の判定で、フレーム画像にＩＤが含まれていないと判定された場合（ステップＳ２０３；ＮＯ）に、表示制御部１４は、対応する表示用のフレームの直前のフレームに格納されている画像を、対応する表示用のフレームにコピーする（ステップＳ２０５）。ここで、フレーム画像数分の処理が終了していない場合には、上記ステップＳ２０３に処理を移行する。
【００３９】
続いて、表示制御部１４は、画像記憶部１６に記憶されている表示用のフレーム群に対応する画像を表示部１７に表示させる（ステップＳ２０６）。
【００４０】
上述したように、実施形態における画像表示システムによれば、画像合成装置２で合成された画像のうち、予め画像表示装置１に登録したＩＤが組み込まれている画像のみを画像表示装置１の表示部１７に表示させることができる。また、画像合成装置２の表示部２４には、ＩＤが組み込まれていない画像のみを肉眼で視認できるように表示させることができる。したがって、秘密情報を含む画像にＩＤを付与すれば、特定の画像表示装置１を装着したユーザにのみ、秘密情報を含む画像を視認させることができる。これにより、覗き見を有効に防止できるセキュリティ機能を提供することができる。
【００４１】
また、実施形態における画像表示システムによれば、上記セキュリティ機能を実現する際に、画像表示装置１が画像合成装置２から同期信号を受信することなく実現できるため、画像表示装置１の構成を簡略化することが可能となる。
【００４２】
[変形例]
なお、上述した実施形態は、単なる例示に過ぎず、実施形態に明示していない種々の変形や技術の適用を排除するものではない。すなわち、本発明は、その趣旨を逸脱しない範囲で様々な形態に変形して実施することができる。
【００４３】
例えば、上述した実施形態では、ＩＤが組み込まれているフレーム画像を、画像表示装置１の表示部１７に表示させているが、これに限定されない。例えば、ＩＤが組み込まれているフレーム画像から、所定のフレーム画像数後に位置するフレーム画像を、画像表示装置１の表示部１７に表示させることとしてもよい。この場合には、所定のフレーム画像数を、予めＩＤ記憶部１５に登録しておけばよい。
【００４４】
所定のフレーム画像数は、スパンフレーム数を上限とする。スパンフレーム数とは、ＩＤ付のフレーム画像が出現するフレーム間隔により定まる。例えば図４に示す動画像Ｙでは、４フレームごとにＩＤ付のフレーム画像が出現するため、スパンフレーム数は４フレームとなる。所定のフレーム画像数の下限は、コンピュータのクロック周波数やフレーム速度等に応じて設定することができる。つまり、ＩＤを検知してから表示対象となるフレームを特定するまでに要するタイムラグとフレーム速度とを考慮して設定可能なフレーム画像数を下限とする。
【００４５】
また、この変形例において、画像表示装置１が液晶シャッター等のシャッター機能を有する場合、ＩＤを検知した際に、ＩＤ付のフレーム画像から所定のフレーム画像数後に位置するフレーム画像のときのみ、シャッターを開くこととしてもよい。これにより、合成画像から表示対象の画像を抽出する処理を省略することができる。
【００４６】
また、上述した実施形態では、画像合成装置２および画像表示装置１がそれぞれ一台で、登録するＩＤが一つである場合について説明しているが、これに限定されない。例えば、登録するＩＤと画像表示装置１とをそれぞれ複数にすることで、複数の画像表示装置１に対して、それぞれ異なるＩＤ付画像を表示させることが可能となる。また、画像合成装置２を複数にすることで、画像表示装置１が複数の画像合成装置２からそれぞれ異なる情報を取得することが可能となる。これにより、単独の画像合成装置２から取得した情報だけでは内容を把握できないが、複数の画像合成装置２から取得した情報を組み合わせることで意味のある情報を取得させることが可能となる。
【００４７】
上述した実施形態の一部または全部は、以下の付記のようにも記載され得るが、本発明を以下に限定するものではない。
【００４８】
（付記１）  特定のＩＤを記憶するＩＤ記憶部と、外部の表示装置に表示されている画像を読み取る画像読取部と、前記画像読取部により読み取られた前記画像をフレーム単位のフレーム画像に分割する画像分割部と、前記画像分割部により分割された前記フレーム画像に、前記ＩＤ記憶部に記憶されている前記ＩＤが含まれるか否かを判定する判定部と、前記判定部により前記フレーム画像に前記ＩＤが含まれると判定された場合に、前記ＩＤに基づいて特定される前記フレーム画像を表示部に表示させる表示制御部と、を備えることを特徴とする画像表示装置。
【００４９】
（付記２）  前記判定部により前記フレーム画像に前記ＩＤが含まれると判定された場合に、前記ＩＤに基づいて特定される前記フレーム画像を記憶する画像記憶部を、さらに備え、前記表示制御部は、前記画像記憶部に記憶されている前記フレーム画像を前記表示部に表示させる、ことを特徴とする付記１記載の画像表示装置。
【００５０】
（付記３）  前記表示制御部は、前記ＩＤを含む前記フレーム画像を前記表示部に表示させる、ことを特徴とする付記１または２記載の画像表示装置。
【００５１】
（付記４）  前記ＩＤ記憶部は、特定のフレーム画像数をさらに記憶し、前記表示制御部は、前記ＩＤを含む前記フレーム画像から前記フレーム画像数後の前記フレーム画像を前記表示部に表示させる、ことを特徴とする付記１または２記載の画像表示装置。
【００５２】
（付記５）  付記１〜４のいずれかに記載の画像表示装置と、前記表示装置を有する画像合成装置と、を備え、前記画像合成装置は、前記表示装置に表示させる複数の画像のうち、一部の画像に前記ＩＤを組み込むＩＤ組込部と、前記ＩＤ組込部により前記ＩＤが組み込まれた画像を含む前記複数の画像を合成する画像合成部と、前記画像合成部により合成された合成画像を前記表示装置に表示させる画像表示部と、を有し、
前記画像合成部は、前記合成画像が前記表示装置に表示されたときに、前記複数の画像のうち、前記ＩＤが組み込まれていない画像のみを肉眼で視認できる割合で、前記複数の画像を合成する、ことを特徴とする画像表示システム。
【００５３】
（付記６）  特定のＩＤを記憶させるＩＤ記憶ステップと、外部の表示装置に表示されている画像を読み取る画像読取ステップと、前記画像読取ステップにおいて読み取られた前記画像をフレーム単位のフレーム画像に分割する画像分割ステップと、前記画像分割ステップにおいて分割された前記フレーム画像に、前記ＩＤ記憶ステップにおいて記憶された前記ＩＤが含まれるか否かを判定する判定ステップと、前記判定ステップにおいて前記フレーム画像に前記ＩＤが含まれると判定された場合に、前記ＩＤに基づいて特定される前記フレーム画像を表示部に表示させる表示制御ステップと、を含むことを特徴とする画像表示方法。
【符号の説明】
【００５４】
１…画像表示装置、２…画像合成装置、１１…画像読取部、１２…画像分割部、１３…判定部、１４…表示制御部、１５…ＩＤ記憶部、１６…画像記憶部、１７…表示部、２１…ＩＤ組込部、２２…画像合成部、２３…画像表示部、２４…表示部。
【図１】
0005582412.tif 000002
【図５】
0005582412.tif 000003
【図６】
0005582412.tif 000004
【図２】
0005582412.tif 000005
【図３】
0005582412.tif 000006
【図４】
0005582412.tif 000007